(57)【特許請求の範囲】
【請求項１】
先端側から血管に挿入される長尺なカテーテル本体と、
前記カテーテル本体の先端部に設けられた拡張・収縮自在なバルーン部と、
前記バルーン部に設けられ、前記バルーン部の拡張限界を規制する規制部と、を備え、
前記バルーン部は、拡張・収縮自在な先端側バルーン部と、前記先端側バルーン部よりも基端側に配置され、拡張・収縮自在な基端側バルーン部と、前記先端側バルーン部と前記基端側バルーン部との間に配置され、拡張・収縮自在な噴出バルーン部とを有し、
前記噴出バルーン部は、ゲルを噴出する噴出口が形成された噴出口形成部を有し、
前記規制部は、前記噴出バルーン部のうちの少なくとも前記噴出口形成部の外周側に設けられ、前記噴出口形成部での前記拡張限界を規制することを特徴とする医療用長尺体。
【請求項２】
前記規制部は、拡張・収縮自在に構成されている請求項１に記載の医療用長尺体。
【請求項３】
前記規制部は、網状体で構成されている請求項１または２に記載の医療用長尺体。
【請求項４】
前記カテーテル本体は、第１カテーテルと、前記第１カテーテルの外側に配置されている第２カテーテルと、前記第２カテーテルの外側に配置されている第３カテーテルと、前記第３カテーテルの外側に配置されている第４カテーテルとを有し、
前記第２カテーテルの内周部と前記第１カテーテルの外周部との間に形成され、前記先端側バルーン部に連通し、前記先端側バルーン部の作動流体が流れる流路と、
前記第３カテーテルの内周部と前記第２カテーテルの外周部との間に形成され、前記噴出バルーン部に連通し、前記噴出バルーン部の作動流体を兼ねる前記ゲルが流れる流路と、
前記第４カテーテルの内周部と前記第３カテーテルの外周部との間に形成され、前記基端側バルーン部に連通し、前記基端側バルーン部の作動流体が流れる流路と、を有する請求項１ないし３のいずれか１項に記載の医療用長尺体。
【発明の詳細な説明】
【技術分野】
【０００１】
本発明は、医療用長尺体に関する。
【背景技術】
【０００２】
例えば、血管壁に形成された血栓や、動脈硬化や、動脈硬化巣に存在する内膜の斑状肥厚性病変であるプラークや、中膜型石灰化等により、血管の内側に向かって、血管壁が隆起することで、血管壁に凹凸が生じることがある。凹凸の程度によっては、凹凸の窪みにおいて血流に滞りや乱流が生じ、血栓が形成されたりすることがある。このような凹凸を平滑化する手段として、特許文献１に示すようなカテーテルを用いた治療が知られている。
【０００３】
特許文献１に記載されているカテーテルは、プラークを治療する医療器具であり、カテーテル本体と、カテーテル本体の先端部に設けられた拡張・収縮自在なバルーンアンセンブリとを有している。また、バルーンアンセンブリは、プラーク除去剤を噴出する噴出部を有している。このカテーテルによって、以下のような治療が行われる。
【０００４】
まず、プラークにバルーンアンセンブリが位置するまで、カテーテルを血管にて押し進める。次いで、バルーンアンセンブリを拡張させて噴出部からプラーク除去剤を噴出し、プラークを除去する。そして、血管のプラークが除去された部分にステントを留置する。これにより、プラークが除去され、血管の内径を十分に確保することができる。
【０００５】
しかしながら、血管内に生じた凹凸の種類や程度によっては、上述したようなカテーテルを用いた治療法では、治すのが困難な場合がある。例えば、上記治療法では、血管壁に生じた凹凸の大きさや形状といった特徴が多様化する血栓や、中膜型石灰化に起因する凹凸を平滑化することができない。
【先行技術文献】
【特許文献】
【０００６】
【特許文献１】特表２０１１−５０９１５８号公報
【発明の概要】
【発明が解決しようとする課題】
【０００７】
本発明の目的は、血管の病変部位における血管壁から隆起して形成される凹凸の窪みの種類や程度に関わらず、当該窪みにおける血流の滞りや乱流の発生を確実かつ容易に防止することができる医療用長尺体を提供することにある。
【課題を解決するための手段】
【０００８】
このような目的は、下記（１）〜（４）の本発明により達成される。
【００１６】
（１）  先端側から血管に挿入される長尺なカテーテル本体と、
前記カテーテル本体の先端部に設けられた拡張・収縮自在なバルーン部と、
前記バルーン部に設けられ、前記バルーン部の拡張限界を規制する規制部と、を備え、
前記バルーン部は、拡張・収縮自在な先端側バルーン部と、前記先端側バルーン部よりも基端側に配置され、拡張・収縮自在な基端側バルーン部と、前記先端側バルーン部と前記基端側バルーン部との間に配置され、拡張・収縮自在な噴出バルーン部とを有し、
前記噴出バルーン部は、ゲルを噴出する噴出口が形成された噴出口形成部を有し、
前記規制部は、前記噴出バルーン部のうちの少なくとも前記噴出口形成部の外周側に設けられ、前記噴出口形成部での前記拡張限界を規制することを特徴とする医療用長尺体。
【００１７】
（２）  前記規制部は、拡張・収縮自在に構成されている上記（１）に記載の医療用長尺体。
【００１９】
（３）  前記規制部は、網状体で構成されている上記（１）または（２）に記載の医療用長尺体。
（４）  前記カテーテル本体は、第１カテーテルと、前記第１カテーテルの外側に配置されている第２カテーテルと、前記第２カテーテルの外側に配置されている第３カテーテルと、前記第３カテーテルの外側に配置されている第４カテーテルとを有し、
前記第２カテーテルの内周部と前記第１カテーテルの外周部との間に形成され、前記先端側バルーン部に連通し、前記先端側バルーン部の作動流体が流れる流路と、
前記第３カテーテルの内周部と前記第２カテーテルの外周部との間に形成され、前記噴出バルーン部に連通し、前記噴出バルーン部の作動流体を兼ねる前記ゲルが流れる流路と、
前記第４カテーテルの内周部と前記第３カテーテルの外周部との間に形成され、前記基端側バルーン部に連通し、前記基端側バルーン部の作動流体が流れる流路と、を有する上記（１）ないし（３）のいずれかに記載の医療用長尺体。
【発明の効果】
【００２０】
本発明によれば、血管壁に生じた窪み内にゲルを充填することにより、血流が窪みにおいて滞ったり、乱流が生じたりすることを防止することができる。その結果、窪みの近傍の血流を正常化させることができるため、血管壁に生じた凹凸において、血管を塞いだり血流を阻害する血栓が形成されることを防止することができる。特に、凹凸の程度や種類によらず、すなわち、血栓、プラーク、中膜型石灰化等のいずれに起因する凹凸であっても、凹凸を容易に平滑化することができる。
【図面の簡単な説明】
【００２１】
【図１】図１は、本発明の医療用長尺体の第１実施形態を示す縦断面図である。
【図２】図２は、充填方法の第１実施形態を説明するための、窪みが形成された血管内を示す断面図であって、（ａ）が、未だ医療用長尺体が血管内に挿入されていない状態を示す図、（ｂ）が、ガイドワイヤに沿わせて医療用長尺体を挿入した状態を示す図、（ｃ）が、先端側バルーン部を拡張させた状態を示す図である。
【図３】図３は、充填方法の第１実施形態を説明するための、窪みが形成された血管内を示す断面図であって、（ａ）が、噴出バルーンおよび基端側バルーン部を露出させた状態を示す図、（ｂ）が、基端側バルーン部を拡張させた状態を示す図、（ｃ）が、窪みにゲルを充填した状態を示す図である。
【図４】図４は、充填方法の第１実施形態を説明するための、窪みが形成された血管内を示す断面図であって、（ａ）が、バルーン部を収縮させた状態を示す図、（ｂ）が、医療用長尺体を外管内に退避させた状態を示す図、（ｃ）が、血管内から医療用長尺体を抜去した状態を示す図である。
【図５】図５は、本発明の医療用長尺体の第２実施形態を示す縦断面図である。
【図６】図６は、図５に示す医療用長尺体において、先端側バルーンを拡張させている状態を示す図であって、（ａ）が、図５中Ａ−Ａ線断面図、（ｂ）が、図５中Ｂ−Ｂ線断面図、（ｃ）が、図５中Ｃ−Ｃ線断面図である。
【図７】図７は、図５に示す医療用長尺体において、噴出バルーン部を拡張させている状態を示す図であって、（ａ）が、図５中Ａ−Ａ線断面図、（ｂ）が、図５中Ｂ−Ｂ線断面図、（ｃ）が、図５中Ｃ−Ｃ線断面図である。
【図８】図８は、図５に示す医療用長尺体において、基端側バルーン部を拡張させている状態を示す図であって、（ａ）が、図５中Ａ−Ａ線断面図、（ｂ）が、図５中Ｂ−Ｂ線断面図、（ｃ）が、図５中Ｃ−Ｃ線断面図である。
【図９】図９は、本発明の医療用長尺体の第３実施形態を示す縦断面図である。
【図１０】図１０は、図９に示す医療用長尺体のカテーテル本体の先端部の拡大縦断面図であって、（ａ）が、第１の連通状態を示す図、（ｂ）が、第２の連通状態を示す図、（ｃ）が、第３の連通状態を示す図である。
【図１１】図１１は、本発明の医療用長尺体の第４実施形態を示す部分縦断面図である。
【図１２】図１２は、本発明の医療用長尺体の第５実施形態を示す縦断面図である。
【発明を実施するための形態】
【００２２】
以下、本発明の医療用長尺体を添付図面に示す好適な実施形態に基づいて詳細に説明する。
【００２３】
＜第１実施形態＞
図１は、本発明の医療用長尺体の第１実施形態を示す縦断面図である。図２は、充填方法の第１実施形態を説明するための、窪みが形成された血管内を示す断面図であって、（ａ）が、未だ医療用長尺体が血管内に挿入されていない状態を示す図、（ｂ）が、ガイドワイヤに沿わせて医療用長尺体を挿入した状態を示す図、（ｃ）が、先端側バルーン部を拡張させた状態を示す図である。図３は、充填方法の第１実施形態を説明するための、窪みが形成された血管内を示す断面図であって、（ａ）が、噴出バルーンおよび基端側バルーン部を露出させた状態を示す図、（ｂ）が、基端側バルーン部を拡張させた状態を示す図、（ｃ）が、窪みにゲルを充填した状態を示す図である。図４は、充填方法の第１実施形態を説明するための、窪みが形成された血管内を示す断面図であって、（ａ）が、バルーン部を収縮させた状態を示す図、（ｂ）が、医療用長尺体を外管内に退避させた状態を示す図、（ｃ）が、血管内から医療用長尺体を抜去した状態を示す図である。
【００２４】
なお、以下では、説明の都合上、図１〜図４中（図５〜図１２についても同様）の右側を「基端」、左側を「先端」と言う。また、図１〜図４（図５〜図１２についても同様）では、理解を容易にするため、医療用長尺体の長手方向の寸法を縮小して図示し、径方向の寸法を拡大して図示している。このため、医療用長尺体、特にバルーンの寸法は、実際のものとは大きく異なる。
【００２５】
図１に示すように、医療用長尺体１は、長尺なカテーテル本体２と、カテーテル本体２の先端部に設けられたバルーン部３と、規制部４と、を有している。
【００２６】
カテーテル本体２は、第１カテーテル２１と、第２カテーテル２２と、第３カテーテル２３と、第４カテーテル２４とを有する４重管構造をなしている。第１カテーテル２１、第２カテーテル２２、第３カテーテル２３および第４カテーテル２４は、内側からこの順に同心的に配置されている。
【００２７】
図１に示すように、第１カテーテル２１は、内側にルーメン２１０を有する。ルーメン２１０には、例えばガイドワイヤ等が挿通される。第１カテーテル２１の長さは、本実施形態では、第２カテーテル２２、第３カテーテル２３および第４カテーテル２４の長さよりも長い。第１カテーテル２１の先端部は、第２カテーテル２２の先端から露出しており、第１カテーテル２１の基端部は、第２カテーテル２２の基端から露出している。
【００２８】
第２カテーテル２２は、ルーメン２２０を有している。このルーメン２２０には、第１カテーテル２１が挿入されている。また、第２カテーテル２２の内周部は、第１カテーテル２１の外周部と離間している。このため、第２カテーテル２２の内周部と第１カテーテル２１の外周部との間には、空間が形成されており、該空間が、流路Ｒ２として機能する。
【００２９】
また、第２カテーテル２２は、基端部、すなわち、第３カテーテル２３の基端部から露出した部分にサイドポート２２１が形成されている。サイドポート２２１は、流路Ｒ２と連通している。これにより、サイドポート２２１から流路Ｒ２に流体を供給することができる。
【００３０】
なお、第２カテーテル２２の先端内周部は、フランジ状に内側に突出形成されたフランジ２２２によって、第１カテーテル２１との間の空間が塞がれている。これにより、流路Ｒ２内の流体が、第２カテーテル２２の先端部から流出することを防いでいる。また、第２カテーテル２２の基端内周部は、内側にフランジ状に突出形成されたフランジ２２３によって、第１カテーテル２１との間の空間が塞がれている。これにより、流路Ｒ２内の流体が、第２カテーテル２２の基端部から流出することを防いでいる。
【００３１】
また、第２カテーテル２２の先端部近傍には、その管壁を厚さ方向に貫通する貫通孔２２４が設けられている。本実施形態では、貫通孔２２４は、２つ設けられている。この貫通孔２２４は、流路Ｒ２内の流体を、後述の先端側バルーン３１に供給する供給口として機能する。
【００３２】
第３カテーテル２３は、ルーメン２３０を有している。このルーメン２３０には、第２カテーテル２２が挿入されている。また、第３カテーテル２３の内周部は、第２カテーテル２２の外周部と離間している。このため、第３カテーテル２３の内周部と第２カテーテル２２の外周部との間には、空間が形成されており、該空間が、流路Ｒ３として機能する。
【００３３】
また、第３カテーテル２３は、基端部、すなわち、第４カテーテル２４の基端部から露出した部分にサイドポート２３１が形成されている。サイドポート２３１は、流路Ｒ３と連通している。これにより、サイドポート２３１から流路Ｒ３に流体を供給することができる。
【００３４】
なお、第３カテーテル２３の先端内周部は、フランジ状に内側に突出形成されたフランジ２３２によって、第２カテーテル２２との間の空間が塞がれている。これにより、流路Ｒ３内の流体が、第３カテーテル２３の先端部から流出することを防いでいる。また、第３カテーテル２３の基端内周部は、内側にフランジ状に突出形成されたフランジ２３３によって、第２カテーテル２２との間の空間が塞がれている。これにより、流路Ｒ３内の流体が、第３カテーテル２３の基端部から流出することを防いでいる。
【００３５】
また、第３カテーテル２３の先端部近傍には、その管壁を厚さ方向に貫通する貫通孔２３４が設けられている。本実施形態では、貫通孔２３４は、２つ設けられている。この貫通孔２３４は、流路Ｒ３内の流体を、後述の噴出バルーン３２に供給する供給口として機能する。
【００３６】
第４カテーテル２４は、ルーメン２４０を有している。このルーメン２４０には、第３カテーテル２３が挿入されている。また、第４カテーテル２４の内周部は、第３カテーテル２３の外周部と離間している。このため、第４カテーテル２４の内周部と第３カテーテル２３の外周部との間には、空間が形成されており、該空間が、流路Ｒ４として機能する。
【００３７】
また、第４カテーテル２４は、基端部、すなわち、第３カテーテル２３のサイドポート２３１よりも先端側に位置する部分にサイドポート２４１が形成されている。サイドポート２４１は、流路Ｒ４と連通している。これにより、サイドポート２４１から流路Ｒ４に流体を供給することができる。
【００３８】
なお、第４カテーテル２４の先端内周部は、フランジ状に内側に突出形成されたフランジ２４２によって、第３カテーテル２３との間の空間が塞がれている。これにより、流路Ｒ４内の流体が、第４カテーテル２４の先端部から流出することを防いでいる。また、第４カテーテル２４の基端内周部は、内側にフランジ状に突出形成されたフランジ２４３によって、第３カテーテル２３との間の空間が塞がれている。これにより、流路Ｒ４内の流体が、第４カテーテル２４の基端部から流出することを防いでいる。
【００３９】
また、第４カテーテル２４の先端部近傍には、その管壁を厚さ方向に貫通する貫通孔２４４が設けられている。本実施形態では、貫通孔２４４は、２つ設けられている。この貫通孔２４４は、流路Ｒ４内の流体を、後述の基端側バルーン３３に供給する供給口として機能する。
【００４０】
このような、第１カテーテル２１、第２カテーテル２２、第３カテーテル２３および第４カテーテル２４の構成材料としては、例えば、ポリオレフィン系樹脂、ポリアミド系樹脂、ウレタン系樹脂、ポリイミド系樹脂等の各種熱可塑性樹脂または熱硬化性樹脂を用いることができる。具体的には、例えば、ポリエチレン、ポリプロピレン、エチレン−プロピレン共重合体、エチレン−酢酸ビニル共重合体等のポリオレフィン、ポリ塩化ビニル、ポリエチレンテレフタレート、ポリブチレンテレフタレート等のポリエステル、ポリウレタン、ポリアミド、ポリイミド、ポリスチレン系樹脂、フッ素系樹脂、スチレン系、ポリオレフィン系、ポリ塩化ビニル系、ポリウレタン系、ポリエステル系、ポリアミド系、ポリブタジエン系、フッ素ゴム系等の各種熱可塑性エラストマーが挙げられる。また、第１カテーテル２１、第２カテーテル２２、第３カテーテル２３および第４カテーテル２４は、複数種の材料よりなる多層積層構造であってもよい。
【００４１】
なお、第１カテーテル２１、第２カテーテル２２、第３カテーテル２３および第４カテーテル２４は、互いに長手方向に移動可能に構成されていてもよく、互いに回転可能に構成されていてもよい。
【００４２】
次に、バルーン部３について説明する。
図１に示すように、バルーン部３は、先端側バルーン部としての先端側バルーン３１と、噴出バルーン部としての噴出バルーン３２と、基端側バルーン部としての基端側バルーン３３とを有している。先端側バルーン３１、噴出バルーン３２および基端側バルーン３３は、先端側からこの順で並んで配置されている。
【００４３】
先端側バルーン３１は、第２カテーテル２２の先端外周部に設けられている。すなわち、先端側バルーン３１は、第２カテーテル２２の、第３カテーテル２３の先端から露出している部分に設けられている。
【００４４】
この先端側バルーン３１は、可撓性を有する膜部材により構成されている。先端側バルーン３１の両端部は、例えば熱融着等により第２カテーテル２２の先端部に接合されている。
【００４５】
先端側バルーン３１は、サイドポート２２１から流路Ｒ２および貫通孔２２４を介して作動流体が内側に供給されることにより拡張する。そして、先端側バルーン３１は、この拡張状態から作動流体を吸引することにより収縮する。
【００４６】
本実施形態では、先端側バルーン３１に供給する作動流体は、造影剤１００である。これにより、Ｘ線透視下で、血管内における先端側バルーン３１の位置を把握することができる。
【００４７】
噴出バルーン３２は、第３カテーテル２３の先端外周部に設けられている。すなわち、噴出バルーン３２は、第３カテーテル２３の、第４カテーテル２４の先端から露出している部分に設けられている。
【００４８】
この噴出バルーン３２は、可撓性を有する膜部材により構成されている。噴出バルーン３２の両端部は、例えば熱融着等により第３カテーテル２３の先端部に接合されている。
【００４９】
噴出バルーン３２は、サイドポート２３１から流路Ｒ３および貫通孔２３４を介して作動流体が内側に供給されることにより拡張する。そして、噴出バルーン３２は、この拡張状態から作動流体を吸引することにより収縮する。
【００５０】
また、噴出バルーン３２は、その膜厚方向に貫通する貫通孔で構成された複数の噴出口３２１を有している。これにより、噴出バルーン３２の内側の作動流体を、噴出口３２１を介して噴出することができる。
【００５１】
本実施形態では、噴出バルーン３２に供給する作動流体は、ゲル２００である。これにより、噴出口３２１からゲル２００を噴出することができ、後述するような治療を行うことができる。
【００５２】
なお、図１に示すように、噴出バルーン３２において、噴出口３２１が形成されている領域を噴出口形成部３２２と言う。
【００５３】
ゲル２００としては、生体適合性を有する材料で構成されているのが好ましく、例えば、ポリウレタン、ポリエチレングリコール、リン脂質極性基を有するＭＰＣポリマー、コラーゲン、アガロース、ヒアルロン酸、キチン、キトサン、アクリル系ポリマー、エポキシ系ポリマー、ポリ２ヒドロキシメタクリレートなどのメタクリル系ポリマーやコポリマー等を用いることができる。
【００５４】
また、ゲル２００には、抗血栓剤等の薬剤が混入されていてもよい。
このようなゲル２００の粘度は、１Ｐａ・ｓ以上、１５０Ｐａ・ｓ以下であるのがより好ましい。これにより、後述するように、窪み３０２にゲル２００が充填された後に、血液によって流されてしまうのを防止することができる（図４（ｃ）参照）。
【００５５】
基端側バルーン３３は、第４カテーテル２４の先端外周部に設けられている。この基端側バルーン３３は、可撓性を有する膜部材により構成されている。基端側バルーン３３は、その両端部が、例えば熱融着等により第４カテーテル２４の先端部に接合されている。
【００５６】
基端側バルーン３３は、サイドポート２４１から流路Ｒ４および貫通孔２４４を介して作動流体が内側に供給されることにより拡張する。そして、基端側バルーン３３は、この拡張状態から作動流体を吸引することにより収縮する。
【００５７】
本実施形態では、基端側バルーン３３に供給する作動流体は、造影剤１００である。これにより、Ｘ線透視下で、血管内における基端側バルーン３３の位置を把握することができる。
【００５８】
このような先端側バルーン３１、噴出バルーン３２および基端側バルーン３３の構成材料は、同じであってもよく、互いに異なっていてもよい。上記構成材料としては、特に限定されないが、例えば、ポリエチレンテレフタレート、ポリブチレンテレフタレート等のポリエステル樹脂またはポリエステルエラストマー、ポリエチレン、ポリプロピレン等のオレフィン系樹脂またはこれらに電子線照射により架橋処理を施したもの、塩化ビニル樹脂、ナイロン１１、ナイロン１２、ナイロン６１０等のポリアミド系樹脂またはポリアミドエラストマー、ポリウレタン系樹脂、エチレン−酢酸ビニル共重合体またはこれらに電子線照射により架橋処理を施したもの、または、これらのうちの少なくとも一種を含むポリマーブレンド、ポリマーアロイ等の材料が挙げられる。
【００５９】
図１に示すように、噴出バルーン３２の外周部には、規制部４としての網状体４１が設けられている。本実施形態では、網状体４１は、噴出口形成部３２２を覆うように設けられている。なお、本実施形態では、網状体４１は噴出バルーン３２の外周部に固定されている。
【００６０】
網状体４１は、全体形状が円筒状をなしている。この網状体４１は、線材が編み込まれた編組体や、リング状の線材を一方向に同心的に配列して連結した連結体や、線材が螺旋状に巻回されたものや、これらを組み合わせたものとすることができる。本明細書中では、これらの形態を総称して「網状体」という。このような構成によれば、網状体４１が各噴出口３２１を塞ぐのを防止することができる。すなわち、網の目の部分が噴出口３２１と連通する連通孔として機能する。よって、噴出口３２１からゲル２００を噴出することができる。
【００６１】
網状体４１は、その径方向に拡張・収縮自在に構成されている。また、網状体４１は、自己拡張性を有し、収縮した状態から規制を解除すると拡張する。この拡張状態では、網状体４１は、円筒状をなしている。
【００６２】
次に、図２〜図４を用いて、上記で説明した医療用長尺体の使用方法、すなわち、充填方法を説明する。
【００６３】
充填方法は、［１］挿入工程と、［２］仕切り工程と、［３］充填工程と、［４］抜去工程とを有している。
まず、医療用長尺体１を挿入する血管３００について説明する。
【００６４】
図２（ａ）に示すように、血管３００の血管壁３０１には凹凸３０４が形成されている。凹凸３０４は、血管３００の内側に向かって、血管壁３０１が隆起して形成される。以下では、凹凸３０４は、例えば、血管３００の中膜が石灰化して肥大するメンケベルグ型中膜石灰化によって形成される病変部位である。
【００６５】
この場合、血液４００は、凹凸３０４において流れが乱れ、特に、窪み３０２にて滞る。この滞りによって、血栓が形成され、その程度によっては、血管３００が塞がれてしまったりすることがある。
【００６６】
なお、図２〜図４では、左側が血流の上流側とし、右側が血流の下流側とする。従って、血液４００では、図２〜図４中左側から右側に向って血液４００が流れる。
【００６７】
［１］挿入工程
図２（ｂ）に示すように、医療用長尺体１を外管５に挿入した状態で、予め血管３００内に挿入したガイドワイヤ６に合わせて挿通していく。これにより、医療用長尺体１および外管５は、ガイドワイヤ６に案内されつつ、血管３００内に挿入され、その挿入操作を円滑に行うことができる。
【００６８】
また、この挿入工程では、外管５内の噴出バルーン３２を窪み３０２に対応する位置まで挿入する。例えば、医療用長尺体１の先端部の任意の位置にＸ線不透過性を有する造影マーカを設け、Ｘ線透視下で前記挿入操作を行うことにより、噴出バルーン３２の位置決めを容易に行うことができる。
【００６９】
なお、医療用長尺体１が外管５内に挿入された状態では、先端側バルーン３１、噴出バルーン３２および基端側バルーン３３は、収縮した状態となっている。
【００７０】
この位置決めがなされた後に、ガイドワイヤ６を血管３００内から抜去してもよく、ガイドワイヤ６をそのまま血管３００内に留置した状態で以下の工程を行ってもよい。
【００７１】
［２］仕切り工程
次いで、図２（ｃ）に示すように、医療用長尺体１に対して外管５を基端側に退避させて、先端側バルーン３１を露出させる。このとき、噴出バルーン３２および基端側バルーン３３は、外管５内に収納されたままとする。
【００７２】
そして、図２（ｃ）中破線で示す収縮状態から先端側バルーン３１に作動流体として造影剤１００を供給し、図２（ｃ）中実線で示すように拡張状態とする。これにより、血管３００の窪み３０２よりも上流側の部分は先端側バルーン３１によって仕切られる。よって、先端側バルーン３１によって、血液４００が塞き止められる。
【００７３】
次いで、図３（ａ）に示すように、医療用長尺体１に対して外管５をさらに基端側に退避させて、噴出バルーン３２および基端側バルーン３３を露出させる。そして、図３（ｂ）中破線で示す収縮状態から基端側バルーン３３に作動流体として造影剤１００を供給し、図３（ｂ）中実線で示すように拡張状態とする。これにより、血管３００は、窪み３０２の前後、すなわち、先端側および基端側がそれぞれ仕切られた仕切り状態となる。この仕切り状態では、血管３００内の先端側バルーン３１と基端側バルーン３３との間の空間Ｓは、密閉され、血液４００が流入するのが防止されている。すなわち、仕切り状態では、空間Ｓにおいて血流が遮断された状態となっている。
【００７４】
なお、図３（ａ）および図３（ｂ）に示すように、仕切り工程において、噴出バルーン３２は、網状体４１の拡張によって拡張状態となる。この際、噴出バルーン３２は、網状体４１の形状に合わせて、略円柱状に維持されたまま拡張する。また、拡張状態では、噴出バルーン３２または網状体４１は、凹凸３０４の頂部３０３に当接しており、それ以上拡張するのが規制されている。
【００７５】
また、先端側バルーン３１および基端側バルーン３３の作動流体として造影剤１００を用いているため、仕切り工程をＸ線透視下で行うことができ、術者は、先端側バルーン３１および基端側バルーン３３が拡張して仕切り状態になったことを確実に把握することができる。
【００７６】
［３］充填工程
この当接した状態で、噴出バルーン３２内にゲル２００を供給し、噴出バルーン３２の内圧が所定値を上回ったとき、噴出口３２１からゲル２００が噴出する（図３（ｃ）参照）。これにより、窪み３０２がゲル２００により埋められる。
【００７７】
ここで、網状体４１が省略されていた場合、すなわち、噴出バルーン３２の拡張限界が規制されていなかった場合、軟質な噴出バルーン３２は、拡張状態において、外径が凹凸３０４に倣うように窪み３０２内に入り込む。この入り込んだ状態では、窪み３０２内にゲル２００を噴出して窪み３０２にゲル２００を充填するのは困難である。
【００７８】
これに対し、医療用長尺体１では、網状体４１によって噴出バルーン３２の拡張限界を規制するため、拡張状態では、噴出口形成部３２２と窪み３０２の内面との間に間隙が形成され、この間隙内にゲル２００を噴出して窪み３０２にゲル２００を充填することができる。
【００７９】
また、噴出バルーン３２は、網状体４１によって、縦断面形状における外周部が、医療用長尺体１の長手方向に沿った直線状になるように規制される。これにより、充填されたゲル２００の表面を平滑化することができる。
【００８０】
［４］抜去工程
次いで、図４（ａ）に示すように、先端側バルーン３１および基端側バルーン３３を収縮させる。これにより、仕切り状態が解除される。このとき、ゲル２００は、窪み３０２内に充填されたままの状態となっている。そして、噴出バルーン３２を収縮させる。
【００８１】
また、本工程での収縮は、先端側バルーン３１、噴出バルーン３２および基端側バルーン３３内の作動流体を吸引することにより行われる。
【００８２】
そして、図４（ｂ）に示すように、外管５に対して医療用長尺体１を基端側に退避させて、外管５内に先端側バルーン３１、噴出バルーン３２および基端側バルーン３３を収納する。
【００８３】
最後に、医療用長尺体１および外管５を基端側に引張って血管３００から抜去し、所定の処置を施す。
【００８４】
なお、本抜去工程では、先端側バルーン３１、噴出バルーン３２および基端側バルーン３３を同時に収縮させてもよく、それぞれ異なるタイミングで収縮させてもよい。
【００８５】
以上説明したような充填方法によれば、図４（ｃ）に示すように、血管３００内の窪み３０２に選択的にゲル２００を充填することができ、凹凸３０４を平滑にすることができる。これにより、図２（ａ）に示すような窪み３０２内での血液４００の滞りを防止することができ、円滑な血流を確保することができる。よって、血液４００の滞りによって、血栓が形成されて血管３００が塞がれてしまったり、血管３００の血液４００が通過する部分の断面積が過剰に小さくなったりするのを防止することができる。
【００８６】
また、前記では、中膜型石灰化に起因する凹凸を例に挙げて説明したが、本発明では、血管壁に生じた血栓による凹凸や、動脈硬化によるや凹凸、動脈硬化巣に存在する内膜の斑状肥厚性病変であるプラークによる凹凸等に関しても、同様に平滑化することができる。
【００８７】
また、本充填方法では、ゲル２００の噴出を、血管３００の窪み３０２が形成された部分の血流を止めた状態で行う。これにより、噴出されたゲル２００が血液４００によって流されてしまうのを防止することができる。よって、窪み３０２にゲル２００を確実に充填することができる。
【００８８】
さらに、本充填方法は、下肢領域での治療に有効である。下肢領域は、中膜型石灰化によって血管壁に凹凸が生じやすい。その凹凸によって血栓が形成されることを防止することにより、器質化、炎症、内膜肥厚のカスケードを止めることができる。
【００８９】
＜第２実施形態＞
図５は、本発明の医療用長尺体の第２実施形態を示す縦断面図である。図６は、図５に示す医療用長尺体において、先端側バルーン部を拡張させている状態を示す図であって、（ａ）が、図５中Ａ−Ａ線断面図、（ｂ）が、図５中Ｂ−Ｂ線断面図、（ｃ）が、図５中Ｃ−Ｃ線断面図である。図７は、図５に示す医療用長尺体において、噴出バルーン部を拡張させている状態を示す図であって、（ａ）が、図５中Ａ−Ａ線断面図、（ｂ）が、図５中Ｂ−Ｂ線断面図、（ｃ）が、図５中Ｃ−Ｃ線断面図である。図８は、図５に示す医療用長尺体において、基端側バルーン部を拡張させている状態を示す図であって、（ａ）が、図５中Ａ−Ａ線断面図、（ｂ）が、図５中Ｂ−Ｂ線断面図、（ｃ）が、図５中Ｃ−Ｃ線断面図である。
【００９０】
なお、図６〜図８では、第１カテーテル２１の図示を省略し、第２カテーテル２２および第３カテーテル２３のみを図示している。
【００９１】
以下、この図を参照して充填方法および本発明の医療用長尺体の第２実施形態について説明するが、前述した実施形態との相違点を中心に説明し、同様の事項はその説明を省略する。
【００９２】
本実施形態は、カテーテル本体の構成が異なること以外は、前記第１実施形態と同様である。
【００９３】
図５に示すように、医療用長尺体１Ａでは、カテーテル本体２は、第１カテーテル２１と、第２カテーテル２２と、第３カテーテル２３とを有する３重管構造をなしている。第１カテーテル２１、第２カテーテル２２および第３カテーテル２３は、内側からこの順に同心的に配置されている。
【００９４】
第１実施形態と同様に、医療用長尺体１Ａでは、第１カテーテル２１と第２カテーテル２２との間の空間が流路Ｒ２として機能する。
【００９５】
また、第２カテーテル２２の外周部と、第３カテーテル２３の内周部とは密着している。第２カテーテル２２は、第１カテーテル２１および第３カテーテル２３に対して、医療用長尺体１Ａの中心軸回りに回転可能に構成されている。
【００９６】
また、第２カテーテル２２は、その管壁の厚さ方向に貫通形成された貫通孔２２５、貫通孔２２６および貫通孔２２７を有している。貫通孔２２５、貫通孔２２６および貫通孔２２７は、医療用長尺体１Ａの長手方向に互いにずれた位置に形成されている。
【００９７】
貫通孔２２５の医療用長尺体１Ａの長手方向における位置は、先端側バルーン３１と同じである。貫通孔２２６の医療用長尺体１Ａの長手方向における位置は、噴出バルーン３２と同じである。貫通孔２２７の医療用長尺体１Ａの長手方向における位置は、基端側バルーン３３と同じである。
【００９８】
また、貫通孔２２５、貫通孔２２６および貫通孔２２７は、医療用長尺体１Ａの周方向での位置が互いにずれている。本実施形態では、貫通孔２２５、貫通孔２２６および貫通孔２２７は、それぞれ医療用長尺体１Ａの周方向に略９０°ずつずれている。
【００９９】
第３カテーテル２３は、第２カテーテル２２よりも短く、先端の位置が第２カテーテル２２と同じである。この第３カテーテル２３には、医療用長尺体１Ａの長手方向に沿って先端側バルーン３１および基端側バルーン３３が互いに離間して設けられている。なお、噴出バルーン３２は、本実施形態では、先端部が先端側バルーン３１に接合され、基端部が基端側バルーン３３に接合されている。
【０１００】
また、第３カテーテル２３は、その管壁の厚さ方向に貫通形成された貫通孔２３５、貫通孔２３６および貫通孔２３７を有している。貫通孔２３５、貫通孔２３６および貫通孔２３７は、医療用長尺体１Ａの長手方向にずれて形成されている。
【０１０１】
貫通孔２３５は、医療用長尺体１Ａの長手方向における位置が貫通孔２２５と同じである。貫通孔２３６は、医療用長尺体１Ａの長手方向における位置が貫通孔２２６と同じである。貫通孔２３７は、医療用長尺体１Ａの長手方向における位置が貫通孔２２７と同じである。
【０１０２】
また、貫通孔２３５、貫通孔２３６および貫通孔２３７は、医療用長尺体１Ａの周方向での位置が互いに同じである。
【０１０３】
このような医療用長尺体１Ａでは、第２カテーテル２２を回転させることにより、貫通孔２２５と貫通孔２３５とが連通する第１連通状態と、貫通孔２２６と貫通孔２３６とが連通する第２連通状態と、貫通孔２２７と貫通孔２３７とが連通する第３連通状態と、を切り替えることができる。第１連通状態では、作動流体を先端側バルーン３１に供給することができる。第２連通状態では、作動流体を噴出バルーン３２に供給することができる。第３連通状態では、作動流体を基端側バルーン３３に供給することができる。
【０１０４】
図６は、第１連通状態を示す図である。図６（ａ）に示すように、第１連通状態では、貫通孔２２５および貫通孔２３５が連通している。これにより、流路Ｒ２と先端側バルーン３１とが連通して、先端側バルーン３１に作動流体を供給することができる。
【０１０５】
また、図６（ｂ）に示すように、第１連通状態では、貫通孔２２６と貫通孔２３６とは、医療用長尺体１Ａの周方向に互いにずれており、連通していない。これにより、第１連通状態において、作動流体が噴出バルーン３２に供給されることを防止することができる。
【０１０６】
また、図６（ｃ）に示すように、第１連通状態では、貫通孔２２７と貫通孔２３７とは、医療用長尺体１Ａの周方向に互いにずれており、連通していない。これにより、第１連通状態において、作動流体が基端側バルーン３３に供給されることを防止することができる。
【０１０７】
図７は、第２連通状態を示す図である。図７（ａ）に示すように、第２連通状態では、貫通孔２２５と貫通孔２３５とは、医療用長尺体１Ａの周方向に互いにずれており、連通していない。これにより、第２連通状態において、作動流体が先端側バルーン３１に供給されることを防止することができる。
【０１０８】
図７（ｂ）に示すように、第２連通状態では、貫通孔２２６および貫通孔２３６が連通している。これにより、流路Ｒ２と噴出バルーン３２とが連通して、噴出バルーン３２に作動流体、すなわち、ゲル２００を供給することができる。
【０１０９】
また、図７（ｃ）に示すように、第２連通状態では、貫通孔２２７と貫通孔２３７とは、医療用長尺体１Ａの周方向に互いにずれており、連通していない。これにより、第２連通状態において、作動流体が基端側バルーン３３に供給されることを防止することができる。
【０１１０】
図８は、第３連通状態を示す図である。図８（ａ）に示すように、第３連通状態では、貫通孔２２５と貫通孔２３５とは、医療用長尺体１Ａの周方向に互いにずれており、連通していない。これにより、第３連通状態において、作動流体が先端側バルーン３１に供給されることを防止することができる。
【０１１１】
また、図８（ｂ）に示すように、第３連通状態では、貫通孔２２６と貫通孔２３６とは、医療用長尺体１Ａの周方向に互いにずれており、連通していない。これにより、第３連通状態において、作動流体が噴出バルーン３２に供給されることを防止することができる。
【０１１２】
図８（ｃ）に示すように、第３連通状態では、貫通孔２２７および貫通孔２３７が連通している。これにより、流路Ｒ２と基端側バルーン３３とが連通して、基端側バルーン３３に作動流体を供給することができる。
【０１１３】
このように、医療用長尺体１Ａは、第１連通状態、第２連通状態および第３連通状態を回転操作によって切り替える切替機構を有していると言える。本実施形態では、このような第１連通状態、第２連通状態および第３連通状態の切り替えを、第２カテーテル２２を回転させるという簡単な方法によって行うことができる。
【０１１４】
さらに、医療用長尺体１Ａによれば、第４カテーテル２４を省略することができ、その分、医療用長尺体１Ａの細径化を図ることができる。
【０１１５】
なお、第２カテーテル２２の基端部や第３カテーテル２３の基端部には、第２カテーテル２２の回転量、すなわち、回転角度を示すマーカが付されていてもよい。これにより、前記切替作業を容易かつ迅速に行うことができる。
【０１１６】
さらに、上記切替作業を、流路Ｒ２内に例えば作動流体を供給して、流路Ｒ２の内圧を高めた状態で行ってもよい。この場合、第１連通状態、第２連通状態および第３連通状態のいずれかになったとき、作動流体が、先端側バルーン３１、噴出バルーン３２および基端側バルーン３３のいずれかに供給されて内圧が低下する。この内圧の低下により、所望の貫通孔同士が連通していることを把握することができる。
【０１１７】
このような医療用長尺体１Ａの使用方法、すなわち、充填方法は、第１実施形態と略同様であるため詳細な説明は省略する。
【０１１８】
なお、本実施形態では、［２］仕切り工程において、前述した切替作業を行うが、前記第１実施形態と同様に、先端側バルーン３１、基端側バルーン３３および噴出バルーン３２の順に拡張させる。すなわち、第１連通状態、第３連通状態および第２連通状態の順に切り替える。
【０１１９】
また、第３連通状態から第２連通状態とする際、すなわち、作動流体を造影剤１００からゲル２００に切り替える際、流路Ｒ２の内側を洗浄してもよい。また、流路Ｒ２内を洗浄してからゲル２００を供給するのに先立ち、例えば生理食塩水により噴出バルーン３２を拡張させ、噴出バルーン３２から生理食塩水を噴出してもよい。これにより、ゲル２００を充填する以前に、血管内を洗浄することができる。
【０１２０】
なお、貫通孔２２５、貫通孔２２６、貫通孔２２７、貫通孔２３５、貫通孔２３６、貫通孔２３７は、それぞれ複数ずつ設けられていてもよい。
【０１２１】
＜第３実施形態＞
図９は、本発明の医療用長尺体の第３実施形態を示す縦断面図である。図１０は、図９に示す医療用長尺体のカテーテル本体の先端部の拡大縦断面図であって、（ａ）が、第１の連通状態を示す図、（ｂ）が、第２の連通状態を示す図、（ｃ）が、第３の連通状態を示す図である。
【０１２２】
以下、この図を参照して充填方法および本発明の医療用長尺体の第３実施形態について説明するが、前述した実施形態との相違点を中心に説明し、同様の事項はその説明を省略する。
本実施形態は、切替機構の構成が異なること以外は、前記第２実施形態と同様である。
【０１２３】
図９に示すように、医療用長尺体１Ｂでは、第２カテーテル２２は、先端部に設けられ、その管壁の厚さ方向に貫通形成された貫通孔２２５ａ、貫通孔２２６ａおよび貫通孔２２７ａを有している。貫通孔２２５ａ、貫通孔２２６ａおよび貫通孔２２７ａは、それぞれ、第２カテーテル２２の長手方向にずれて配置されている。そして、貫通孔２２５ａ、貫通孔２２６ａおよび貫通孔２２７ａは、カテーテル本体２の周方向の位置が同じである。
【０１２４】
また、貫通孔２２５ａおよび貫通孔２２６ａの離間距離と、貫通孔２２６ａおよび貫通孔２２７ａの離間距離とは、同じである。貫通孔２２５ａおよび貫通孔２２６ａの離間距離は、第３カテーテル２３の貫通孔２３５および貫通孔２３６の離間距離よりも大きい。貫通孔２２６ａおよび貫通孔２２７ａの離間距離は、第３カテーテル２３の貫通孔２３６および貫通孔２３７の離間距離よりも大きい。
【０１２５】
また、本実施形態では、第２カテーテル２２は、第３カテーテル２３に対して、その長手方向にスライド可能、すなわち、移動可能に構成されている。
【０１２６】
このような医療用長尺体１Ｂでは、前記第２実施形態と同様に、第２カテーテル２２をスライドさせることにより、貫通孔２２５ａと貫通孔２３５とが連通する第１連通状態と（図１０（ａ）参照）、貫通孔２２６ａと貫通孔２３６とが連通する第２連通状態と（図１０（ｂ）参照）、貫通孔２２７ａと貫通孔２３７とが連通する第３連通状態と（図１０（ｃ）参照）を切り替えることができる。
【０１２７】
このように、医療用長尺体１Ｂは、第１連通状態、第２連通状態および第３連通状態をスライド操作により切り替える切替機構を有している。また、医療用長尺体１Ｂでは、このような第１連通状態、第２連通状態および第３連通状態の切り替えを、第２カテーテル２２を第３カテーテル２３に対してスライドさせるという簡単な方法によって行うことができる。
【０１２８】
なお、本実施形態では、第２カテーテル２２は、第３カテーテル２３に対して回転操作可能に構成されていてもよい。例えば、図１０（ａ）に示す第１連通状態から図１０（ｃ）に示す第３連通状態とする過程において、第２カテーテル２２をスライドさせていくと、一時的に貫通孔２２６ａおよび貫通孔２３６が連通する。このとき、回転操作を行い、第２カテーテル２２を回転させて貫通孔２３６に対する貫通孔２２６ａの周方向の位置を換えることにより、一時的な連通を防止することができる。
【０１２９】
＜第４実施形態＞
図１１は、本発明の医療用長尺体の第４実施形態を示す部分縦断面図である。
【０１３０】
以下、この図を参照して充填方法および本発明の医療用長尺体の第４実施形態について説明するが、前述した実施形態との相違点を中心に説明し、同様の事項はその説明を省略する。
【０１３１】
本実施形態は、バルーン部および規制部の構成が異なること以外は、前記第１実施形態と同様である。
【０１３２】
図１１に示すように、医療用長尺体１Ｃは、第１実施形態での第３カテーテル２３および第４カテーテル２４が省略され、さらに外管５を有している。
【０１３３】
また、第２カテーテル２２は、先端部に設けられ、その管壁の厚さ方向に貫通する貫通孔２２８を有している。この貫通孔２２８は、流路Ｒ２から後述のバルーン３４にゲル２００を供給する供給口として機能する。
【０１３４】
図１１に示すように、医療用長尺体１Ｃは、第２カテーテル２２の先端部に設けられたバルーン３４を有している。バルーン３４は、長尺状をなしている。また、バルーン３４は、その長手方向の途中に設けられた複数の噴出口３２１を有している。
【０１３５】
また、本実施形態では、規制部４は、網状体４２を有している。網状体４２は、自己拡張性を有している。すなわち、網状体４２は、収縮状態では、拡張する方向に付勢する付勢力を有している。この網状体４２は、基端部が外管５内に挿入されており、先端部がバルーン３４の先端部付近に位置している。すなわち、網状体４２は、バルーン３４の先端部の一部を除いてバルーン３４を基端まで覆っている。また、本実施形態では、網状体４２はバルーン３４の外周部に固定されている。
【０１３６】
また、網状体４２は、拡張状態では、長手方向の途中の部分が内側に緩やかに窪んだ形状をなしている。このため、図１１に示すように、拡張状態のバルーン３４は、先端側に位置する先端領域３４１と、基端側に位置する基端領域３４３と、それらの間に位置する中間領域３４２とに分けられる。先端領域３４１および基端領域３４３は、外径が略同じ大きさであり、かつ、中間領域３４２よりも大きい。なお、中間領域３４２は、噴出口３２１が形成された噴出口形成部である。
【０１３７】
本実施形態では、外管５にバルーン３４および網状体４２を収納し、網状体４２の拡張を規制した状態から、先端領域３４１を露出させると、先端領域３４１は、網状体４２に引張られて拡張する。このことは、基端領域３４３についても同様である。これにより、バルーン３４を外管５から露出させると、作動流体を供給しなくても仕切り状態となる。よって、［２］仕切り工程の簡略化を図ることができる。
【０１３８】
また、仕切り状態では、すでに、図１１に示すように中間領域３４２も拡張している。そして、拡張状態における中間領域３４２は、外形形状が略円柱状に規制されている。これにより、ゲル２００をバルーン３４内に供給して、噴出口３２１からゲル２００を噴出し、窪み３０２にゲル２００を充填することができる。
【０１３９】
なお、本実施形態では、［２］仕切り工程において、先端領域３４１を露出させて拡張し、次いで基端領域３４３を露出させて拡張してもよく、先端領域３４１および基端領域３４３をほぼ同時に露出させて拡張してもよい。
【０１４０】
後者の場合、先端領域３４１の方が基端領域３４３よりも先に拡張する構成とすることにより、上流側から仕切ることができる。例えば、この構成は、バルーン３４において、先端領域３４１よりも基端領域３４３の膜厚を厚くしたりして網状体４２に追従して拡張しにくくすることにより、実現することができる。
【０１４１】
なお、本実施形態では、先端領域３４１によって先端側バルーン部が構成され、中間領域３４２によって噴出バルーン部が構成され、基端領域３４３によって基端側バルーン部が構成されている。すなわち、本実施形態では、先端側バルーン部と噴出バルーン部と基端側バルーン部とが一体的に形成されていると言える。
【０１４２】
＜第５実施形態＞
図１２は、本発明の医療用長尺体の第５実施形態を示す縦断面図である。
【０１４３】
以下、この図を参照して充填方法および本発明の医療用長尺体の第５実施形態について説明するが、前述した実施形態との相違点を中心に説明し、同様の事項はその説明を省略する。
【０１４４】
図１２に示すように、医療用長尺体１Ｄでは、カテーテル本体２は、第１カテーテル２１と、第２カテーテル２２と、第３カテーテル２３とを有する３重管構造をなしている。
【０１４５】
第２カテーテル２２と第３カテーテル２３との間の流路Ｒ３は、本実施形態では、ゲル２００が通過する流路として機能する。
【０１４６】
図１２に示すように、医療用長尺体１Ｄでは、バルーン部３は、内バルーンとしてのバルーン３４と、バルーン３４の外周側に設けられた外バルーン３５とを有する２重バルーンである。
【０１４７】
外バルーン３５は、長尺状をなし、その基端部が、第３カテーテル２３の先端外周部に固定されている。また、外バルーン３５の先端部は、バルーン３４の先端領域３４１に固定されている。すなわち、外バルーン３５は、バルーン３４を、先端領域３４１の途中から基端まで覆った構成となっている。
【０１４８】
外バルーン３５は、拡張状態における全体形状が、バルーン３４の形状に倣うように拡張する。すなわち、外バルーン３５は、その長手方向の途中の部分が内側に窪んだ形状となっており、窪んだ部分が中間領域３４２の外側に位置している。
【０１４９】
また、外バルーン３５の中間領域３４２に対応する部分には、その膜厚方向に貫通形成された複数の噴出口３５１が設けられている。これにより、流路Ｒ３を流下してきたゲル２００は、バルーン３４と外バルーン３５との間を流下し、噴出口３５１を介して外側に噴出される。
【０１５０】
なお、本実施形態では、網状体４２は、本実施形態では、バルーン３４と外バルーン３５の間に位置しており、バルーン３４の拡張限界を規制している。また、網状体４２は外バルーン３４の外周部に固定されている。
【０１５１】
このような医療用長尺体１Ｄは、以下の利点を有する。
バルーン３４は、中間領域３４２において網状体４２によって拡張限界が規制されているため、バルーン３４が外バルーン３５の内側に窪んだ部分を外側に押し広げることを防ぐことができる。よって、外バルーン３５は、中間領域３４２において、拡径限界が規制されることとなり、窪み３０２にゲル２００を充填することができる。
【０１５２】
また、［３］充填工程では、バルーン部３の拡張状態において、バルーン３４は、網状体４２によって内側に収縮する方向、すなわち、図１２中矢印方向に付勢されている。このため、バルーン３４と外バルーン３５との間をゲル２００が流下する際、バルーン３４がゲル２００を圧迫してゲル２００の流下を阻害することを防ぐことができる。
【０１５３】
さらに、本実施形態では、第４実施形態で用いた外管５を省略して、［１］挿入工程において、サイドポート２２１およびサイドポート２３１から吸引を行い、バルーン３４および外バルーン３５の内側にそれぞれ陰圧を付与することにより、バルーン３４および外バルーン３５の収縮状態を確実に維持したまま搬送することができる。その結果、外管５が省略された分、比較的細い血管内を円滑に搬送することができる。
【０１５４】
以上、充填方法および本発明の医療用長尺体を、図示の実施形態に基づいて説明したが、本発明はこれに限定されるものではなく、各部の構成や工程は、同様の機能を有する任意の構成のものに置換することができる。また、本発明に、他の任意の構成物や工程が付加されていてもよい。
【０１５５】
なお、本発明は、例えば、動脈瘤の治療にも適用することができる。この場合、血管の外側に向かって血管壁が窪んで形成される動脈瘤に対して、ゲルを充填することで、動脈瘤をゲルで閉塞させながら、動脈瘤により形成された血管壁の凹凸を平滑化させることができる。
【０１５６】
また、前記各実施形態では、規制部としての網状体は、バルーンの外側に設けられていたが、本発明ではこれに限定されず、例えば、内側に設けられていてもよく、その膜厚方向の途中に埋設されていてもよい。
【０１５７】
また、前記実施形態の充填工程で、血流の下流から上流の方向に向かって、医療用長尺体を送達した後、上流側、下流側の順に血流を止めることで、窪みにゲルを充填する場合を説明したが、本発明はこれに限定されない。例えば、血管壁に生じた窪みに対して、血流の下流側から上流側に向かって医療用長尺体を送達するだけでなく、その逆の血流方向に沿って、医療用長尺体を送達しても良い。この場合、下流側の血流を止めた後、上流側の血流を止めることで、窪みにゲルを充填しても良い。
【０１５８】
また、前記実施形態では、真っ直ぐな血管に血栓が生じた場合について説明したが、本発明では、これに限定されず、例えば、湾曲した血管内に血栓が生じた場合においても適応することができる。
【符号の説明】
【０１５９】
１、１Ａ、１Ｂ、１Ｃ、１Ｄ  医療用長尺体
２            カテーテル本体
２１          第１カテーテル
２１０        ルーメン
２２          第２カテーテル
２２０        ルーメン
２２１        サイドポート
２２２        フランジ
２２３        フランジ
２２４、２２５、２２６、２２７、２２８  貫通孔
２２５ａ、２２６ａ、２２７ａ  貫通孔
２３          第３カテーテル
２３０        ルーメン
２３１        サイドポート
２３２、２３３  フランジ
２３４、２３５、２３６、２３７  貫通孔
２４          第４カテーテル
２４０        ルーメン
２４１        サイドポート
２４２、２４３  フランジ
２４４        貫通孔
３            バルーン部
３１          先端側バルーン
３２          噴出バルーン
３２１        噴出口
３２２        噴出口形成部
３３          基端側バルーン
３４          バルーン
３４１        先端領域
３４２        中間領域
３４３        基端領域
３５          外バルーン
３５１        噴出口
４            規制部
４１          網状体
４２          網状体
５            外管
６            ガイドワイヤ
１００        造影剤
２００        ゲル
３００        血管
３０１        血管壁
３０２        窪み
３０３        頂部
３０４        凹凸
４００        血液
Ｒ２、Ｒ３、Ｒ４  流路
Ｓ            空間
【図１】
0006704277.tif 000002
【図２】
0006704277.tif 000003
【図３】
0006704277.tif 000004
【図４】
0006704277.tif 000005
【図５】
0006704277.tif 000006
【図６】
0006704277.tif 000007
【図７】
0006704277.tif 000008
【図８】
0006704277.tif 000009
【図９】
0006704277.tif 000010
【図１０】
0006704277.tif 000011
【図１１】
0006704277.tif 000012
【図１２】
0006704277.tif 000013